(57)【特許請求の範囲】
【請求項１】
正２ｎ角形（ｎは２以上の整数）の頂点位置に立設する柱材と、各柱材から隣接する柱材に対し連結部材を介してシザース状に動作する梁材と、対角線上で対向する柱材方向に配置され前記連結部材と回動可能に接続しテント中央に向かって棟材を集結する屋根リンク部材を備え、テント中央には天幕を支承する中央支柱の支持具を取り付ける寄棟状折畳式テントにおいて、前記棟材は、中間部で下方に折り畳み可能とする折曲点を設け、この折曲点には、両側方に板体を突設する連結具を介在し、隣接する前記棟材の対向する板体間に中央部で上方に折り畳み可能な横架材を設け、前記支持具は、棟材集結部に設け中央支柱を挿通する上部筒体と、中央支柱の下端を保持する受台と、各棟材の折曲点と集結部の中間位置に回動可能に取り付けられる受台支持部材を備えることを特徴とする寄棟状折畳式テント。
【発明の詳細な説明】
【技術分野】
【０００１】
この発明は、柱材に対して連結部材を介しシザース状に動作する梁材を備える折畳式テントに関し、特に内部空間を広く確保できる大型の寄棟状折畳式テントに関する。
【背景技術】
【０００２】
梁材をシザース状に折り畳む所謂ワンタッチ式のテントで、柱材の本数が６本以上となる大型テントの場合には、例えば図６に示すような骨組構造体が用いられてきた。この従来の折り畳みテント１１１は、６本の柱材１１２と、この柱材１１２同士を連結する６面の梁材１１３を有する。地表に立設する柱材１１２の頂部には端部ジョイント１１４を冠着し、その下方に上下方向に移動可能なスライドジョイント１１５を環装しているが、これら連結部材を構成する端部ジョイント１１４及びスライドジョイント１１５は梁材１１３を構成する斜材１１６の一端部を回動可能に支持している。
【０００３】
又梁材１１３の中央には左右の斜材１１６をピン結合で連結するヒンジジョイント部１１７が設けられ、このヒンジジョイント部１１７からテント中央に向って夫々屋根リンク部材１１８が取付けられ、それらが集合する中心部には図示しない天幕の中央部分を支承する中央支柱１１９を配設する。天幕はこの骨組構造体に対して上部より取り付けられていた。
【０００４】
このような梁材１１３及び屋根リンク部材１１８は連結する部分が全てピン結合となっており、同期してシザース状に動作しながら折り畳み可能な構成をとっているため、使用時には柱材１１２を相互に離隔すれば骨組全体が拡開する。又、収納時には柱材１１２を近接させれば骨組全体の収縮が可能となる。
【０００５】
しかし、梁材１１３の中央に連結する屋根リンク部材１１８は、梁材１１３と同一高さに配置されていたため、テントの内部空間の利用が制限される欠点があった。例えば支柱高さが２．３ｍしかない場合には、中央支柱１１９の下端は２ｍの高さとなり、天井部が低く圧迫感を感じてしまう。そこで、テントの内部空間を広く確保し得る折畳式テントとしては例えば下記に示すような従来技術があった。
【特許文献１】登録実用新案第３０５８５２６号公報
【０００６】
この折畳式テントは、図７に示すように四隅に立設する柱材２２同士を連結し、シザース状に動作する４面の梁材２３と、対角線上で対向する柱材２２方向に配置され、テント中央に向かって集結する屋根リンク部材２４を備え、各梁材２３及び屋根リンク部材２４は柱材２２に装着する連結部材２５と夫々回動可能に接続していた。
【０００７】
又テント中央には屋根リンク部材２４の集結点に支持具２６を取り付け、これに中央支柱２７を収容し、その頭部で図示しない天幕を支承していた。
【０００８】
柱材２２より屋根リンク部材２４を跳ね出す寄棟状折畳式テント２１の場合、集結する棟材２４ａの下面には、隅部に方杖２４ｂが補強されているだけで、水平部材が存在しないためテントの内部空間を広く利用できる利点があった。
【発明の開示】
【発明が解決しようとする課題】
【０００９】
しかし、寄棟状折畳式テント２１の場合、棟材２４ａは隅部の方杖２４ｂのみで支持されていたため、柱材２２同士の間隔が大となる大型テントの場合、棟材２４ａが撓んでしまう恐れがあった。
【００１０】
又、中央支柱２７は棟材２４ａの集結点を構成する筒状の支持具２６に収容していたため、高さのある支柱はセットできなかった。従って、架設する天幕が平板的となり降雨時には水捌け不良により棟材２４ａ間の天幕が垂れ下がり、この部分に水溜りを生じてしまう恐れがあった。
【００１１】
このため、特に柱材の本数が６本以上となる大型テントの場合には、寄棟状折畳式テントは適用されておらず、従来の天井部の低い骨組構造体が一般的であった。
【００１２】
この発明は、従来の大型の折畳式テント及び寄棟状折畳式テントが有する上記の問題点を解消すべくなされたものであり、天井の高い骨組構造であっても棟材が撓む恐れがなく、又中央支柱を高く設置することが可能で、天幕の十分な勾配を確保できる大型の寄棟状折畳式テントを提供することを目的としている。
【課題を解決するための手段】
【００１３】
上記課題を解決するため、この発明の寄棟状折畳式テントは、正２ｎ角形（ｎは２以上の整数）の頂点位置に立設する柱材と、各柱材から隣接する柱材に対し連結部材を介してシザース状に動作する梁材と、対角線上で対向する柱材方向に配置され前記連結部材と回動可能に接続しテント中央に向かって棟材を集結する屋根リンク部材を備え、テント中央には天幕を支承する中央支柱の支持具を取り付ける寄棟状折畳式テントにおいて、前記棟材は、中間部で下方に折り畳み可能とする折曲点を設け、この折曲点には、両側方に板体を突設する連結具を介在し、隣接する前記棟材の対向する板体間に中央部で上方に折り畳み可能な横架材を設け、前記支持具は、棟材集結部に設け中央支柱を挿通する上部筒体と、中央支柱の下端を保持する受台と、各棟材の折曲点と集結部の中間位置に回動可能に取り付けられる受台支持部材を備えることを特徴とするものである。
【００１４】
連結部材は、柱材の頂部に冠着する端部ジョイントと、その下方で環装し上下方向に移動可能なスライドジョイントからなり、梁材及び屋根リンク部材を回動可能に支持し、このスライドジョイントを上下動させることで、梁材及び屋根リンク部材の取付角度を変化させる。棟材は、端部ジョイントに回動可能に連結し、スライドジョイントに連結する方杖で支持される。
【００１５】
上部筒体及び受台は夫々外面に複数の棟材連結部又は受台支持部材連結部を突設する。中央支柱は、棟材から吊り下げ支持される受台でその下端を保持され、中間部を上部筒体で支えられるため、立設状態が安定し棟材より突出する立上り部分を大きくすることができる。
【００１６】
又、棟材集結部は、各棟材と受台支持部材及び中央支柱との組み合わせが立体トラス構造となるため荷重が作用しても変形し難くなる。
【００１８】
棟材の中間部である折曲点同士を横架材で繋ぎ補強する。棟材と横架材の組み合わせも立体トラス構造を形成する。
【発明の効果】
【００１９】
この発明の寄棟状折畳式テントは、中央支柱の支持具として上部筒体、受台及び受台支持部材を設けるので、中央支柱の立設状態が安定し棟材より突出する立上り部分を大きくすることができる。従って天幕の十分な勾配が確保でき、降雨時の水捌け不良の恐れがなくなる。
【００２０】
又、各棟材と受台支持部材及び中央支柱との組み合わせが立体トラス構造となるため荷重が作用しても変形し難くく、天井の高い骨組構造であっても棟材が撓む恐れがない。
【００２１】
この発明の寄棟状折畳式テントは、折曲点同士を横架材で繋ぎ補強するので、より強固な立体トラス構造となり、大型の折畳式テントであっても風荷重等に対抗し得る安定的な骨組構造となる。
【発明を実施するための最良の形態】
【００２２】
次にこの発明の実施の形態を添付図面に基づき詳細に説明する。図１は寄棟状折畳式テントの骨組を示す斜視図である。寄棟状折畳式テント１は、正２ｎ角形（ｎは２以上の整数）、図１の場合は正六角形の頂点位置に柱材２を立設し、各柱材２から隣接する柱材２に対して梁材３が横架し、対角線上で対向する柱材２方向には屋根リンク部材４が配設されている。
【００２３】
これら梁材３及び屋根リンク部材４は、柱材２に装着する連結部材５に一端部を回動可能に支持している。連結部材５は、柱頂部に冠着する端部ジョイント６と、その下方に上下方向に移動可能な状態で環装するスライドジョイント７を有する。
【００２４】
梁材３は、端部ジョイント６とスライドジョイント７で夫々枢支する斜材３ａ，３ａをピン３ｂにて結合し、スライドジョイント７を上下動することでシザース状に折り畳み、又引き伸ばすものである。
【００２５】
屋根リンク部材４を構成する棟材４ａは、端部ジョイント６に回動可能に連結し、スライドジョイント７に連結する方杖４ｂで支持される。この方杖４ｂと棟材４ａは連結具４ｃを介して枢動可能に接続する。各棟材４ａが集結するテント中央には、天幕８を支承する中央支柱９の支持具１０を取り付ける。又棟材４ａは、その中間部で下方に折り畳み可能とする折曲点４ｄを設ける。隣接する折曲点４ｄ間には中央部で上方に折り畳み可能とする横架材１１を架設する。
【００２６】
次に柱材に装着する連結部材の詳細を図２に基づき説明する。図２は柱材の頭部骨組を示す斜視図である。柱材２に装着する連結部材５は、端部ジョイント６とスライドジョイント７に分かれており、夫々柱材２を収納若しくは挿通する枠部６ａ，７ａより隣接する柱材２方向に梁支持板６ｂ，７ｂを突設する。この梁支持板６ｂ，７ｂは夫々一対のプレートを対向し、その間隙に梁材３を構成する斜材３ａの端部を挿入し、プレート面に開設するピン孔にピン等を挿通して回動可能に支持する。
【００２７】
この梁支持板６ｂ，７ｂと隣接して棟材支持板６ｃと方杖支持板７ｃを夫々突設する。棟材支持板６ｃ及び方杖支持板７ｃも夫々一対のプレートを対向し、その間隙に棟材４又は方杖４ａの端部を挿入し、各プレート面に開設するピン孔にピン等を貫通して回動可能に支持する。
【００２８】
なお、スライドジョイント７には、図３に示すように枠部７ａの外面で梁支持板７ｂ及び方杖支持板７ｃの下方に位置決め用のピン１２が引出可能に取り付けられている。このピン１２は柱材２に穿設する図示しないピン孔に挿入してスライドジョイント７の高さを固定するものである。又梁支持板７ｂと棟材支持板７ｃにおいて、各挿入するピン等の先端を受ける側の支持板は隣接する支持板と兼用されるものでもよい。
【００２９】
次に棟材の折曲点の詳細を図４に基づき説明する。図４は棟材折曲点の斜視図である。棟材４ａは折曲点４ｄにて分割されており、折曲点４ｄには両側方に板体１３ａを突設する連結具１３を介在し、隣接する棟材４ａの対向する板体１３ａ間に横架材１１を架設する。板体１３ａも一対のプレートを対向し、その間隙に横架材１１の端部を挿入し、各プレート面に開設するピン孔にピン等を貫通して回動可能に支持する。横架材１１も中央で分割されており、連結具１１ａにて上方に折畳可能に接続している。
【００３０】
次に支持具の詳細を図５に基づき説明する。支持具１０は、棟材４ａの集結部に設けられ中央支柱９を挿通する上部筒体１０ａと、中央支柱９の下端を保持する受台１０ｂと、各棟材４ａの折曲点４ｄと上部筒体１０ａの中間位置に連結具１０ｃを介して回動可能に取り付けられる受台支持部材１０ｄを備える。
【００３１】
上部筒体１０ａ及び受台１０ｂは夫々外面に複数の棟材連結部１０ｅ又は受台支持部材連結部１０ｆを突設し、棟材４ａ又は受台支持部材１０ｄを枢動可能に止着する。
【００３２】
中央支柱９は、上方に位置する内管９ａと、下方に位置する外管９ｂからなり、外管内部に収容するバネ体９ｃによって内管９ａを上方に付勢している。中央支柱９は骨組構造体を折り畳んだ際に、二重管が分離することのないよう適宜長さの組合せで構成されている。内管９ａの頂部に装着する丸みを持った天幕接触具９ｄ上に天幕８を取り付けると、バネ体９ｃの作用により天幕８を押し上げ、その張りを強める。
【００３３】
これら各棟材４ａと受台支持部材１０ｄ及び中央支柱９、更には横架材１１が相互に連結して立体トラス構造となるため天幕８から荷重が作用しても変形し難くなる。即ち、この骨組構造は屋根リンク部材４を補強するもので、中央支柱９に作用する荷重は、立体トラスの各部材に分散されていく。
【００３４】
荷重を分散することで棟材４ａの撓みを減少させ、振動の発生等も防ぎ、安定的な組立状態を維持する。
【００３５】
又中央支柱９は、棟材４ａから吊り下げ支持される受台１０ｂでその下端を保持され、中間部を上部筒体１０ａで支えられるため、立設状態が安定し棟材４ａより突出する立上り部分を大きくすることができる。このため、天幕８が各棟材４ａに密着せず、外観上美しい曲線で折り畳みできるワンタッチテントを構成できる。
【００３６】
梁材３及び屋根リンク部材４は連結する部分が全てピン結合となっており、スライドジョイント７を降下させると、各部材が同期してシザース状に動作しながら折畳まれる。即ち、使用時には柱材２を相互に離隔すれば骨組全体が拡開し、又収納時には柱材２を近接させれば骨組全体の収縮が可能となる。
【００３７】
この寄棟状の折畳式テントは、棟材４ａを用いることで空間の圧迫感を解消し、天井が高くなるばかりでなく、構造上シンプルであって、使用する材料も少なく、全体重量も軽減できる。又、屋根リンク部材４の集結部を立体トラス構造とすることにより、より強度のあるテントが最小の材料で実現可能となる。
【産業上の利用可能性】
【００３８】
この発明の寄棟状折畳式テントは、正六角形のタイプに限らず正八角形以上の中央寄棟を有する折畳式テントにも、又柱間の大きい四角形の寄棟状折畳式テントにも適用することができる。
【図面の簡単な説明】
【００３９】
【図１】寄棟状折畳式テントの骨組を示す斜視図である。
【図２】柱材の頭部骨組を示す斜視図である。
【図３】スライドジョイントの斜視図である。
【図４】棟材折曲点の斜視図である。
【図５】支持具の斜視図である。
【図６】従来の六角型折畳式テントの骨組を示す斜視図である。
【図７】従来の寄棟状折畳式テントの骨組を示す斜視図である。
【符号の説明】
【００４０】
１  寄棟状折畳式テント
２  柱材
３  梁材
４  屋根リンク部材
４ａ  棟材
５  連結部材
８  天幕
９  中央支柱
１０  支持具
１１  横架材
【図１】
0004819499.tif 000002
【図２】
0004819499.tif 000003
【図３】
0004819499.tif 000004
【図４】
0004819499.tif 000005
【図５】
0004819499.tif 000006
【図６】
0004819499.tif 000007
【図７】
0004819499.tif 000008